(57)【要約】【課題】  小型で軽量のフォーカス群及び防振群を有し、良好な光学性能を有する小型のズームレンズを提供する。【解決手段】  物体側から像側へ順に、負の屈折力の第１レンズ群、正の屈折力の第２レンズ群、負の屈折力の第３レンズ群、複数のレンズ群を含み全体として正の屈折力を有する後群より構成され、ズーミングに際して隣り合うレンズ群の間隔が変化し、像ぶれ補正に際して第２レンズ群が光軸に対して垂直な成分を持つ方向に移動し、フォーカシングに際して第３レンズ群が光軸方向に移動し、第２レンズ群と第３レンズ群はそれぞれ１つのレンズ要素からなり、広角端における全系の焦点距離をｆｗ、第２レンズ群の焦点距離をｆ２、第３レンズ群の焦点距離をｆ３としたとき、２．８＜ｆ２／ｆｗ＜４．４１．８＜｜ｆ３｜／ｆｗ＜４．５なる条件を満足することを特徴とするズームレンズ。【選択図】  図１
2014032358.tif 000002
【特許請求の範囲】
【請求項１】
物体側から像側へ順に、負の屈折力の第１レンズ群、正の屈折力の第２レンズ群、負の屈折力の第３レンズ群、複数のレンズ群を含み全体として正の屈折力を有する後群より構成され、ズーミングに際して隣り合うレンズ群の間隔が変化するズームレンズであって、像ぶれ補正に際して前記第２レンズ群が光軸に対して垂直な成分を持つ方向に移動し、フォーカシングに際して前記第３レンズ群が光軸方向に移動し、前記第２レンズ群と前記第３レンズ群はそれぞれ１つのレンズ要素からなり、広角端における全系の焦点距離をｆｗ、前記第２レンズ群の焦点距離をｆ２、前記第３レンズ群の焦点距離をｆ３としたとき、
２．８＜ｆ２／ｆｗ＜４．４
１．８＜｜ｆ３｜／ｆｗ＜４．５
なる条件を満足することを特徴とするズームレンズ。
【請求項２】
前記第２レンズ群の光軸上の厚さをｄ２としたとき、
０．０５＜ｄ２／ｆｗ＜０．２０
なる条件を満足することを特徴とする請求項１に記載のズームレンズ。
【請求項３】
前記第３レンズ群の光軸上の厚さをｄ３としたとき、
０．０２＜ｄ３／ｆｗ＜０．２０
なる条件を満足することを特徴とする請求項１または２に記載のズームレンズ。
【請求項４】
前記第２レンズ群の最も物体側のレンズ面の曲率半径をＲ２ｏ、前記第２レンズ群の最も像側のレンズ面の曲率半径をＲ２ｉとしたとき、
−２．３＜（Ｒ２ｉ−Ｒ２ｏ）／（Ｒ２ｉ＋Ｒ２ｏ）＜−０．５
なる条件を満足することを特徴とする請求項１乃至３のいずれか１項に記載のズームレンズ。
【請求項５】
望遠端における全系の焦点距離をｆｔ、前記第３レンズ群において、物体側から数えてｉ番目のレンズの焦点距離とアッべ数をそれぞれｆ３ｉ、νｄ３ｉとしたとき、
−０．０２５＜Σ（（ｆｔ／ｆ３ｉ）／νｄ３ｉ）＜−０．０１０
なる条件を満足することを特徴とする請求項１乃至４のいずれか１項に記載のズームレンズ。
【請求項６】
前記第３レンズ群の広角端における横倍率をβ３ｗ、前記後群の広角端における横倍率をβｒｗとしたとき、
０．１７＜（１−β３ｗ２）×βｒｗ２  ＜１．８０
なる条件を満足することを特徴とする請求項１乃至５のいずれか１項に記載のズームレンズ。
【請求項７】
前記後群の広角端と望遠端における横倍率を各々βｒｗ、βｒｔ、望遠端における全系の焦点距離をｆｔとしたとき、
０．７０＜（βｒｔ×ｆｗ）／（βｒｗ×ｆｔ）（）＜１．４０
なる条件を満足することを特徴とする請求項１乃至６のいずれか１項に記載のズームレンズ。
【請求項８】
広角端から望遠端へのズーミングに際して、前記第１レンズ群は像側に凸の軌跡で移動することを特徴とする請求項１乃至７のいずれか１項に記載のズームレンズ。
【請求項９】
広角端から望遠端へのズーミングに際して、前記第２レンズ群と前記第３レンズ群は物体側へ移動することを特徴とする請求項１乃至８のいずれか１項に記載のズームレンズ。
【請求項１０】
前記後群は、物体側から像側へ順に、正の屈折力の第４レンズ群、負の屈折力の第５レンズ群、正の屈折力の第６レンズ群より構成されることを特徴とする請求項１乃至９のいずれか１項に記載のズームレンズ。
【請求項１１】
前記後群は、物体側から像側へ順に、正の屈折力の第４レンズ群、正の屈折力の第５レンズ群、負の屈折力の第６レンズ群、正の屈折力の第７レンズ群より構成されることを特徴とする請求項１乃至９のいずれか１項に記載のズームレンズ。
【請求項１２】
前記後群は、物体側から像側へ順に、正の屈折力の第４レンズ群、負の屈折力の第５レンズ群、正の屈折力の第６レンズ群、負の屈折力の第７レンズ群より構成されることを特徴とする請求項１乃至９のいずれか１項に記載のズームレンズ。
【請求項１３】
広角端から望遠端へのズーミングに際して、前記後群を構成する全てのレンズ群が物体側へ移動することを特徴とする請求項１乃至１２のいずれか１項に記載のズームレンズ。
【請求項１４】
固体撮像素子に像を形成することを特徴とする請求項１乃至１３のいずれか１項に記載のズームレンズ。
【請求項１５】
請求項１乃至１４のいずれか１項に記載のズームレンズと、該ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、例えば、デジタルスチルカメラ、ビデオカメラ、銀塩フィルム用カメラ等の撮像装置に好適なものである。
【背景技術】
【０００２】
近年の一眼レフカメラには動画撮影機能が搭載されており、動画撮影中の動体に対するピント追従性を向上させること、レンズを駆動する際に生じるモーター音等のノイズを低減することが求められている。
【０００３】
例えば、撮影画像のコントラストに基づいて合焦状態を判定するコントラスト方式のオートフォーカスでは、コントラストのピークを決定するために、撮影光学系のフォーカス群を前後に微小量移動させるウォブリング駆動が行われる。このような、フォーカス群のウォブリング駆動に要する時間を短縮すると共に、ウォブリング駆動に伴うモーター音を低減するためには、フォーカス群の小型化および軽量化が重要となる。
【０００４】
また、像ぶれ補正機能を備える撮影光学系においては、像ぶれに対する応答性が高いこと、レンズを駆動する際に生じるモーター音等のノイズを低減することが求められている。したがって、撮影光学系の防振群についても、小型化および軽量化が重要である。
【０００５】
特許文献１は、物体側より像側へ順に、負の屈折力の第１レンズ群、正の屈折力の第２レンズ群、負の屈折力の第３レンズ群、正の屈折力の第４レンズ群を有するズームレンズを開示している。特許文献１のズームレンズでは、第２レンズ群を構成する単レンズを防振群とすることで、防振群の小型化と軽量化を図っている。
【０００６】
特許文献２は、物体側より像側へ順に、負の屈折力の第１レンズ群、正の屈折力の第２レンズ群、正の屈折力の第３レンズ群、負の屈折力の第４レンズ群、正の屈折力の第５レンズ群を有するズームレンズを開示している。特許文献２のズームレンズでは、比較的レンズ径が小さく軽量な第２レンズ群と第４レンズ群をそれぞれフォーカス群、防振群とすることで、フォーカス群及び防振群の小型化と軽量化を図っている。
【先行技術文献】
【特許文献】
【０００７】
【特許文献１】特開２００７−７８８３４号公報
【特許文献２】特開２００９−２５１１１２号公報
【発明の概要】
【発明が解決しようとする課題】
【０００８】
通常、フォーカス群及び防振群の小型化と軽量化を行うためには、それぞれのレンズ群を少ない枚数のレンズで構成すればよい。しかしながら、単純にフォーカス群や防振群を構成するレンズの枚数を減少させると、フォーカス群や防振群に残存する収差が大きくなり、フォーカス及び防振による収差変動が大きくなってしまう。したがって、フォーカス群および防振群の小型化、軽量化と、高い光学性能を同時に実現するためには、フォーカス群や防振群の屈折力や全系における配置を適切に設定することが重要である。
【０００９】
特許文献１では、レンズ径が大きい複数のレンズで構成される第１レンズ群をフォーカス群としているため、フォーカス群の小型化と軽量化が不十分である。
【００１０】
特許文献２では、第４レンズ群を防振群とし、その物体側に開口絞りを配置している。駆動部によって大型化しやすい開口絞りと防振群がズームレンズの像側に並べて配置されており、これらを配置する空間を確保するためにズームレンズが大型化しやすい。特に、一眼レフカメラの交換レンズにおいては、着脱用のマウントやカメラ内のミラー等が像面側に存在するため、防振群や開口絞りを配置する空間を確保することが困難となる。
【００１１】
本発明は、小型で軽量のフォーカス群及び防振群を有し、良好な光学性能を有する小型のズームレンズを提供することを目的としている。
【課題を解決するための手段】
【００１２】
本発明のズームレンズは、物体側から像側へ順に、負の屈折力の第１レンズ群、正の屈折力の第２レンズ群、負の屈折力の第３レンズ群、複数のレンズ群を含み全体として正の屈折力を有する後群より構成され、ズーミングに際して隣り合うレンズ群の間隔が変化するズームレンズであって、像ぶれ補正に際して前記第２レンズ群が光軸に対して垂直な成分を持つ方向に移動し、フォーカシングに際して前記第３レンズ群が光軸方向に移動し、前記第２レンズ群と前記第３レンズ群はそれぞれ１つのレンズ要素からなり、広角端における全系の焦点距離をｆｗ、前記第２レンズ群の焦点距離をｆ２、前記第３レンズ群の焦点距離をｆ３としたとき、
２．８＜ｆ２／ｆｗ＜４．４
１．８＜｜ｆ３｜／ｆｗ＜４．５
なる条件を満足することを特徴としている。
【発明の効果】
【００１３】
本発明によれば、小型で軽量のフォーカス群及び防振群を有し、良好な光学性能を有する小型のズームレンズを提供することができる。
【図面の簡単な説明】
【００１４】
【図１】本発明の実施例１のズームレンズの広角端におけるレンズ断面図
【図２】（Ａ）、（Ｂ）本発明の実施例１のズームレンズの広角端と望遠端における収差図
【図３】本発明の実施例２のズームレンズの広角端におけるレンズ断面図
【図４】（Ａ）、（Ｂ）本発明の実施例２のズームレンズの広角端と望遠端における収差図
【図５】本発明の実施例３のズームレンズの広角端におけるレンズ断面図
【図６】（Ａ）、（Ｂ）本発明の実施例３のズームレンズの広角端と望遠端における収差図
【図７】本発明の実施例４のズームレンズの広角端におけるレンズ断面図
【図８】（Ａ）、（Ｂ）本発明の実施例４のズームレンズの広角端と望遠端における収差図
【図９】本発明の実施例５のズームレンズの広角端におけるレンズ断面図
【図１０】（Ａ）、（Ｂ）本発明の実施例５のズームレンズの広角端と望遠端における収差図
【図１１】本発明の実施例６のズームレンズの広角端におけるレンズ断面図
【図１２】（Ａ）、（Ｂ）本発明の実施例６のズームレンズの広角端と望遠端における収差図
【図１３】本発明の撮像装置の概略図
【発明を実施するための形態】
【００１５】
以下、本発明の好ましい実施の形態を、添付の図面に基づいて説明する。
図１は本発明の実施例１のズームレンズの広角端（短焦点距離端）におけるレンズ断面図である。
図２（Ａ）、（Ｂ）は、それぞれ実施例１のズームレンズの広角端と望遠端（長焦点距離端）における収差図である。
図３は本発明の実施例２のズームレンズの広角端におけるレンズ断面図である。図４（Ａ）、（Ｂ）は、それぞれ実施例２のズームレンズの広角端と望遠端における収差図である。
図５は本発明の実施例３のズームレンズの広角端におけるレンズ断面図である。図６（Ａ）、（Ｂ）は、それぞれ実施例３のズームレンズの広角端と望遠端における収差図である。
図７は本発明の実施例４のズームレンズの広角端におけるレンズ断面図である。図８（Ａ）、（Ｂ）は、それぞれ実施例４のズームレンズの広角端と望遠端における収差図である。
図９は本発明の実施例５のズームレンズの広角端におけるレンズ断面図である。図１０（Ａ）、（Ｂ）は、それぞれ実施例５のズームレンズの広角端と望遠端における収差図である。
図１１は本発明の実施例６のズームレンズの広角端におけるレンズ断面図である。図１２（Ａ）、（Ｂ）は、それぞれ実施例６のズームレンズの広角端と望遠端における収差図である。
図１３は本発明のズームレンズを備えるデジタルカメラ（撮像装置）の概略図である。
【００１６】
図１，３，５，７，９，１１に示したレンズ断面図において、左方が物体側であり、右方が像側である。
【００１７】
実施例１から６の各ズームレンズにおいて、Ｌ１は負の屈折力（焦点距離の逆数）の第１レンズ群、Ｌ２は正の屈折力の第２レンズ群、Ｌ３は負の屈折力の第３レンズ群である。
【００１８】
実施例１から４のズームレンズにおいて、全体として正の屈折力を有する後群Ｌｒは、正の屈折力の第４レンズ群Ｌ４、負の屈折力の第５レンズ群Ｌ５、正の屈折力の第６レンズ群Ｌ６より構成されている。
【００１９】
実施例５のズームレンズにおいて、全体として正の屈折力を有する後群Ｌｒは、正の屈折力の第４レンズ群Ｌ４、正の屈折力の第５レンズ群Ｌ５、負の屈折力の第６レンズ群Ｌ６、正の屈折力の第７レンズ群Ｌ７より構成されている。
【００２０】
実施例６のズームレンズにおいて、全体として正の屈折力を有する後群Ｌｒは、正の屈折力の第４レンズ群Ｌ４、負の屈折力の第５レンズ群Ｌ５、正の屈折力の第６レンズ群Ｌ６、負の屈折力の第７レンズ群より構成されている。
【００２１】
ただし、本発明の後群Ｌｒは、複数のレンズ群を含み全体として正の屈折力を有していればよく、上記の構成に限られるものではない。
【００２２】
また、ＳＰは光量調整用の開口絞りであり、実施例１乃至４、６の各ズームレンズにおいては、第４レンズ群Ｌ４と第５レンズ群Ｌ５の間に配置されており、実施例５のズームレンズにおいては、第５レンズ群Ｌ５と第６レンズ群Ｌ６の間に配置されている。ＦＳは開口径が不変のフレアーカット絞りであり、実施例１乃至６の各ズームレンズの最も像側に配置されている。ただし、開口絞りＳＰとフレアーカット絞りＦＳの配置についてもこれらの配置に限られるものではない。
【００２３】
ＩＰは像面であり、ビデオカメラやデジタルスチルカメラの撮影光学系として使用する際にはＣＣＤセンサやＣＭＯＳセンサ等の固体撮像素子の撮像面に相当し、銀塩フィルム用カメラのときはフィルム面に相当する。
【００２４】
収差図において、ｄ、ｇはフラウンホーファー線のｄ線（波長５８７．５６ｎｍ）、ｇ線（波長４３５．８ｎｍ）にそれぞれ対応している。Ｓ．Ｃ．は正弦条件を示している。ΔＭ、ΔＳはｄ線のメリディオナル像面、ｄ線のサジタル像面にそれぞれ対応している。歪曲収差はｄ線について示しており、倍率色収差はｇ線について示している。ωは半画角である。ＦｎｏはＦナンバーである。
【００２５】
各実施例において、広角端と望遠端は、変倍用のレンズ群である第２レンズ群Ｌ２が光軸上の移動範囲の両端に位置したときのズーム位置をいう。
【００２６】
また、各レンズ群は、広角端から望遠端へのズーミングに際して、レンズ断面図において矢印で示されるように、隣り合うレンズ群の間隔を変化させながら光軸方向に移動する。
【００２７】
負の屈折力のレンズ群が最も物体側に配置されたズームレンズにおいて、フォーカス群及び防振群の小型化を図るためには、第１レンズ群よりも像側に配置されたレンズ径の比較的小さいレンズ群をフォーカス群及び防振群として選ぶ必要がある。
【００２８】
また、フォーカス群及び防振群の軽量化を図るためには、フォーカス群及び防振群を１つのレンズ要素で構成することが望ましい。ここで、レンズ要素とは、単レンズ、複数のレンズが接合された接合レンズ、球面レンズの表面に樹脂層を積層して形成されるレプリカ非球面レンズなど、一体的に形成されたレンズをいう。
【００２９】
フォーカス群を少ないレンズ枚数で構成した場合、フォーカシングに伴う収差変動を抑制するために、フォーカス群の屈折力（焦点距離の逆数）が小さくなりやすい。しかしながら、フォーカス群の屈折力が小さくなりすぎると、無限遠から至近距離へのフォーカスに際して、フォーカス群の繰出量（物体側への移動量）が増大し、レンズ全系が大型化してしまう。フォーカス群の小型化および軽量化と、レンズ全系の小型化と高い光学性能を同時に実現するためには、フォーカシングに伴う収差変動が比較的小さくなるようにレンズを構成しつつ、フォーカス群の屈折力を適切に設定することが重要となる。
【００３０】
本発明の各実施例のズームレンズでは、第２レンズ群Ｌ２と第３レンズ群Ｌ３が各々１つのレンズ要素からなり、像ぶれ補正に際して第２レンズ群Ｌ２が光軸に対して垂直な成分を持つ方向に移動し、フォーカシングに際して第３レンズ群Ｌ３が光軸方向に移動する。
【００３１】
負の屈折力のレンズ群が最も物体側に配置されたズームレンズにおいて、１つのレンズ要素からなり、レンズ径が比較的小さい第２レンズ群Ｌ２と第３レンズ群Ｌ３をそれぞれ防振群とフォーカス群とすることで、レンズ径の小型化を達成している。これにより、防振群及びフォーカシング群を軽量化し、それぞれの駆動ユニットの大型化を抑制することができる。
【００３２】
また、大型化しやすい駆動ユニットを備えるフォーカス群と防振群を、空間を確保しやすいズームレンズの物体側に配置することによって、レンズ全系の小型化を実現することができる。
【００３３】
また、正の屈折力を有する第２レンズ群Ｌ２によって、第１レンズ群Ｌ１で発散した軸上光束を収斂し、フォーカシングによる軸上光線高の変動を軽減できるため、フォーカシングに伴う収差変動を低減することができる。これにより、フォーカス群を適切な屈折力に設定しつつ、１つのレンズ要素で構成することができ、フォーカス群の軽量化を達成することができる。
【００３４】
また、本発明の各実施例のズームレンズでは、広角端における全系の焦点距離をｆｗ、第２レンズ群Ｌ２の焦点距離をｆ２、第３レンズ群Ｌ３の焦点距離をｆ３としたとき、以下の条件式（１）、（２）を同時に満足している。
２．８＜ｆ２／ｆｗ＜４．４                ……  （１）
１．８＜｜ｆ３｜／ｆｗ＜４．５            ……  （２）
【００３５】
条件式（１）は、第２レンズ群Ｌ２の屈折力を適切に設定することで、良好な防振性能を確保しつつ、フォーカス群である第３レンズ群Ｌ３へ入射する光束を適度に収斂させるためのものである。条件式（１）の下限値を超えると、第２レンズ群Ｌ２の屈折力が強くなりすぎて、防振時（像ぶれ補正時）の光学性能の変動を低減することが困難となるので良くない。条件式（１）の上限値を超えると、第２レンズ群Ｌ２の屈折力が弱くなりすぎて、防振時の偏心敏感度が小さくなるため、防振群の移動量を増加させる必要があり、防振群と防振群の駆動機構により構成される防振ユニットが大型化するため良くない。また、第３レンズ群Ｌ３へ入射する軸上光束の収斂が弱くなり、軸上光線高の変動が大きくなり、フォーカシングに伴う収差変動を低減することが困難となるので良くない。
【００３６】
条件式（２）は、第３レンズ群Ｌ３の屈折力を適切に設定することで、高い光学性能と小型化のバランスを図るためのものである。条件式（２）の下限値を超えると、第３レンズ群Ｌ３の屈折力の絶対値が小さくなりすぎて、第３レンズ群Ｌ３を少ない枚数のレンズで構成したまま、フォーカシングに伴う収差変動を抑制することが困難となるため良くない。条件式（２）の上限値を超えると、第３レンズ群Ｌ３の屈折力の絶対値が大きくなりすぎて、無限遠から至近距離へのフォーカシングにおけるフォーカス群の繰出量（物体側への移動量）が大きくなり、フォーカス速度が遅くなるので良くない。更に、レンズ全系が大型化するので良くない。
【００３７】
また、好ましくは、条件式（１）、（２）の数値範囲を以下のように設定するのがよい。
３．１＜ｆ２／ｆｗ＜４．３                ……  （１ａ）
２．０＜｜ｆ３｜／ｆｗ＜４．３            ……  （２ａ）
【００３８】
本発明のズームレンズは、以上の構成によって実現できるが、更なる小型化と高い光学性能を実現するためには次の条件のうち少なくとも１つを満足することが望ましい。
【００３９】
本発明の各実施例は、第２レンズ群Ｌ２の光軸上の厚さをｄ２とし、第３レンズ群Ｌ３の光軸上の厚さをｄ３としたとき、
０．０５＜ｄ２／ｆｗ＜０．２０            ……  （３）
０．０２＜ｄ３／ｆｗ＜０．２０            ……  （４）
なる条件を満足している。
【００４０】
条件式（３）、（４）は第２レンズ群Ｌ２及び第３レンズ群Ｌ３の光軸上の厚さに関する。レンズ群の光軸上の厚さ（レンズ構成長）は、レンズ群の最も物体側のレンズ面と最も像側のレンズ面の光軸上における間隔である。条件式（３）、（４）の下限値を超えると、各レンズ群の光軸上の厚さが薄くなりすぎて、各レンズの加工が困難となるため好ましくない。条件式（３）、（４）の上限値を超えると、レンズ群の光軸上の厚さが厚くなりすぎて、レンズ全系が大型化するので好ましくない。
【００４１】
また、好ましくは、条件式（３）、（４）の数値範囲を以下のように設定するのがよい。
０．０７＜ｄ２／ｆｗ＜０．１７            ……  （３ａ）
０．０３＜ｄ３／ｆｗ＜０．１７            ……  （４ａ）
【００４２】
本発明の各実施例は、第２レンズ群Ｌ２の最も物体側のレンズ面の曲率半径をＲ２ｏ、第２レンズ群Ｌ２の最も像側のレンズ面の曲率半径をＲ２ｉとしたとき、
−２．３＜（Ｒ２ｉ−Ｒ２ｏ）／（Ｒ２ｉ＋Ｒ２ｏ）＜−０．５      ……  （５）
なる条件を満足している。
【００４３】
条件式（５）は、ズームレンズの小型化と高性能化のバランスを図るためのものである。条件式（５）の下限値を超えると、第２レンズ群Ｌ２の屈折力が大きくなりすぎて、防振時における像面倒れやコマ収差変動を抑制することが困難となるため好ましくない。条件式（５）の上限値を超えると、第２レンズ群Ｌ２の屈折力が小さくなりすぎて、防振時における偏心敏感度が低くなるため、レンズ群の駆動量が大きくなり駆動ユニットが大型化するため好ましくない。
【００４４】
また、好ましくは、条件式（５）の数値範囲を以下のように設定するのがよい。
−２．２＜（Ｒ２ｉ−Ｒ２ｏ）／（Ｒ２ｉ＋Ｒ２ｏ）＜−０．７      ……  （５ａ）
【００４５】
本発明の各実施例は、望遠端における全系の焦点距離をｆｔ、第３レンズ群Ｌ３において物体側から数えてｉ番目のレンズの焦点距離をｆ３ｉ、第３レンズ群において物体側から数えてｉ番目のレンズのアッベ数をνｄ３ｉとしたとき、
−０．０２５＜Σ（（ｆｔ／ｆ３ｉ）／νｄ３ｉ）＜−０．０１０      ……  （６）
なる条件を満足している。
【００４６】
条件式（６）は第３レンズ群Ｌ３の焦点距離とアッベ数に関し、色消し条件を設定するためのものである。条件式（６）の下限値を超えると、第３レンズ群Ｌ３の残存色収差が大きすぎて、特にフォーカシング時の移動量が大きい望遠端において、フォーカシングに伴う色収差の変動を抑制することが困難となるため好ましくない。条件式（６）の上限値を超えると、第３レンズ群Ｌ３を構成するレンズの枚数が増加するか、第３レンズ群Ｌ３の屈折力が小さくなりすぎてフォーカシングの際の移動量が増加し、全系が大型化するため好ましくない。
【００４７】
また、好ましくは、条件式（６）の数値範囲を以下のように設定するのがよい。
−０．０２２＜Σ（（ｆｔ／ｆ３ｉ）／νｄ３ｉ）＜−０．０１２      ……  （６ａ）
【００４８】
本発明の各実施例は、第３レンズ群Ｌ３の広角端における横倍率をβ３ｗ、後群Ｌｒの広角端における横倍率をβｒｗとしたとき、
０．１７＜（１−β３ｗ２）×βｒｗ２＜１．８０      ……  （７）
なる条件を満足している。
【００４９】
条件式（７）は、フォーカシングに伴う収差変動を抑制しつつ、フォーカス群を少ない枚数のレンズで構成するために、適切なフォーカス敏感度を設定したものである。条件式（７）の下限値を超えると、第３レンズ群Ｌ３のフォーカス敏感度が小さくなりすぎて、フォーカシング時の移動量が増大するため、全系の大型化を招くとともに、光線入射高の変動が大きくなり、フォーカシングに伴う収差変動を抑制することが困難となる。また、ウォブリング駆動に伴う像倍率の変動が大きくなるため好ましくない。条件式（７）の上限値を超えると、第３レンズ群Ｌ３のフォーカス敏感度が大きくなりすぎて、駆動系の制御が困難となるため好ましくない。また、第３レンズ群Ｌ３の屈折力が大きくなりすぎて、フォーカシングに伴う収差変動を抑制することが困難となるので好ましくない。
【００５０】
また、好ましくは、条件式（７）の数値範囲を以下のように設定するのがよい。
０．２０＜（１−β３ｗ２）×βｒｗ２＜１．６０          ……  （７ａ）
【００５１】
本発明の各実施例は、後群Ｌｒの広角端と望遠端における横倍率を各々βｒｗ、βｒｔ、広角端と望遠端における全系の焦点距離を各々ｆｗ、ｆｔとしたとき、
０．７０＜（βｒｔ×ｆｗ）／（βｒｗ×ｆｔ）＜１．４０  ……  （８）
なる条件を満足している。
【００５２】
条件式（８）は、後群Ｌｒの無限遠にフォーカスしているときの広角端と望遠端の各々の横倍率に関し、後群Ｌｒの変倍分担を適切に設定するためのものである。
【００５３】
条件式（８）の下限値を超えると、後群Ｌｒの変倍分担が小さくなりすぎて、第２レンズ群Ｌ２及び第３レンズ群Ｌ３の変倍分担が大きくなり、第２レンズ群Ｌ２と第３レンズ群Ｌ３を簡易なレンズ構成で性能を維持することが困難となるため好ましくない。条件式（８）の上限値を超えると後群Ｌｒの変倍分担が大きくなりすぎて、後群Ｌｒを構成するレンズ群の屈折力が強くなりすぎて、特にズーミングにおける像面変動や倍率色収差の変動を補正することが困難となるため好ましくない。
【００５４】
また、好ましくは、条件式（８）の数値範囲を以下のように設定するのがよい。
０．８０＜（βｒｔ×ｆｗ）／（βｒｗ×ｆｔ）＜１．２５  ……  （８ａ）
【００５５】
本発明の各実施例では、広角端から望遠端へのズーミングに際して、第１レンズ群Ｌ１が像側に凸の軌跡で移動する。広角端から望遠端へのズーミングに際して第１レンズ群Ｌ１を像側へ凸の軌跡で移動させることによって、レンズ全長を小型化することが容易になる。また、広角端におけるレンズ全長を短縮することにより、最もレンズ径が大きい第１レンズ群Ｌ１のレンズ径を短縮することもできる。
【００５６】
本発明の各実施例では、広角端から望遠端へのズーミングに際して、第２レンズ群Ｌ２と第３レンズ群Ｌ３が物体側へ移動する。これにより、広角端におけるレンズ全長の増大を抑制することが容易になる。また、広角端から望遠端へのズーミングに際して、後群を構成する全てのレンズ群が物体側へ移動する。
【００５７】
本発明の各実施例では、防振群とフォーカス群がそれぞれ第２レンズ群Ｌ２と第３レンズ群Ｌ３に配置されている。このため、防振群とフォーカス群をそれぞれ駆動する駆動ユニットを配置するために、比較的広い間隔が生じる第１レンズ群Ｌ１と第２レンズ群Ｌ２の間の一部の空間を利用することができる。
【００５８】
次に、本発明の各実施例の具体的なレンズ構成を説明する。
【００５９】
［実施例１］
第１レンズ群Ｌ１は、物体側より像側へ順に、物体側に凸面を向けたメニスカス形状の正レンズ、像側に凹面を向けたメニスカス形状の負レンズ、像側に凹面を向けたメニスカス形状の負レンズ、物体側に凸面を向けたメニスカス形状の正レンズより構成されている。第２レンズ群Ｌ２は、１枚の両凸レンズにより構成されている。第３レンズ群Ｌ３は、１枚の両凹レンズにより構成されている。第４レンズ群Ｌ４は、物体側より像側へ順に、両凸レンズと、物体側に凹面を向けたメニスカス形状の負レンズが接合された接合レンズより構成されている。第５レンズ群Ｌ５は、物体側より像側へ順に、像側へ凸面を向けたメニスカス形状の正レンズと両凹レンズが接合された接合レンズより構成されている。第６レンズ群Ｌ６は、像側へ凸面を向けたメニスカス形状の２枚の正レンズにより構成されている。
【００６０】
［実施例２］
第１レンズ群Ｌ１は、物体側より像側へ順に、像側に凹面を向けたメニスカス形状の３枚の負レンズと、物体側に凸面を向けたメニスカス形状の正レンズにより構成されている。第６レンズ群Ｌ６は、像側へ凸面を向けたメニスカス形状の正レンズと、両凸レンズにより構成されている。他のレンズ群の構成は実施例１と同様である。
【００６１】
［実施例３］
第１レンズ群Ｌ１は、物体側より像側へ順に、物体側に凸面を向けた平凸レンズ、像側に凹面を向けたメニスカス形状の負レンズ、両凹レンズ、物体側に凸面を向けたメニスカス形状の正レンズより構成されている。第３レンズ群Ｌ３は物体側に凹面を向けたメニスカス形状の負レンズにより構成されている。第４レンズ群Ｌ４は、物体側より像側へ順に、両凸レンズ、両凸レンズと物体側に凹面を向けたメニスカス形状の負レンズが接合された接合レンズより構成されている。第６レンズ群Ｌ６は、物体側より像側へ順に、両凸レンズ、像側へ凸面を向けた平凸レンズより構成されている。他のレンズ群の構成は実施例１と同様である。
【００６２】
［実施例４］
第１レンズ群Ｌ１は、物体側より像側へ順に、物体側に凸面を向けた平凸レンズ、像側に凹面を向けたメニスカス形状の負レンズ、両凹レンズ、物体側に凸面を向けたメニスカス形状の正レンズより構成されている。第３レンズ群Ｌ３は、物体側に凹面を向けたメニスカス形状の負レンズと両凸レンズが接合された接合レンズより構成されている。第４レンズ群Ｌ４は、物体側より像側へ順に、両凸レンズ、両凸レンズと物体側に凹面を向けたメニスカス形状の負レンズが接合された接合レンズより構成されている。第６レンズ群Ｌ６は、物体側より像側へ順に、両凸レンズ、像側へ凸面を向けた平凸レンズより構成されている。他のレンズ群の構成は実施例１と同様である。
【００６３】
［実施例５］
第１レンズ群Ｌ１は、物体側より像側へ順に、物体側に凸面を向けた平凸レンズ、像側に凹面を向けたメニスカス形状の負レンズ、両凹レンズ、物体側に凸面を向けたメニスカス形状の正レンズより構成されている。第２レンズ群Ｌ２は、物体側に凹面を向けたメニスカス形状の１枚の正レンズにより構成されている。第３レンズ群Ｌ３は、両凹レンズと両凸レンズが接合された接合レンズより構成されている。第４レンズ群Ｌ４は、１枚の両凸レンズより構成されている。第５レンズ群Ｌ５は、物体側より像側へ順に、両凸レンズと物体側に凹面を向けたメニスカス形状の負レンズが接合された接合レンズより構成されている。第６レンズ群Ｌ６は、物体側より像側へ順に、像側へ凸面を向けたメニスカス形状の正レンズと両凹レンズが接合された接合レンズにより構成されている。第７レンズ群Ｌ７は、物体側より像側へ順に、像側へ凹面を向けたメニスカス形状の負レンズ、像側へ凸面を向けた平凸レンズより構成されている。
【００６４】
［実施例６］
第１レンズ群Ｌ１は、物体側より像側へ順に、物体側に凸面を向けた平凸レンズ、像側に凹面を向けたメニスカス形状の負レンズ、両凹レンズ、物体側に凸面を向けたメニスカス形状の正レンズより構成されている。第２レンズ群Ｌ２は、両凸レンズと物体側に凹面を向けたメニスカス形状の負レンズが接合された接合レンズより構成されている。第３レンズ群Ｌ３は物体側に凹面を向けたメニスカス形状の負レンズにより構成されている。第４レンズ群Ｌ４は、物体側より像側へ順に、両凸レンズ、両凸レンズと物体側に凹面を向けたメニスカス形状の負レンズが接合された接合レンズより構成されている。第５レンズ群Ｌ５は、物体側より像側へ順に、両凹レンズと像側へ凹面を向けたメニスカス形状の正レンズが接合された接合レンズにより構成されている。第６レンズ群Ｌ６は、２枚の両凸レンズにより構成されている。第７レンズ群Ｌ７は物体側に凹面を向けたメニスカス形状の負レンズにより構成されている。
【００６５】
次に、本発明の各実施例のレンズデータを示す。面番号は、物体側からの光学面の順序を示している。また、各光学面の曲率半径ｒ、各光学面の間隔ｄ、各光学材料のｄ線における屈折率ｎｄ、アッベ数νｄ、有効径を示している。ｄｉは面番号をｉとしたときの第ｉ面と第ｉ＋１面の間隔である。各光学面の間隔ｄが（可変）と記載されている箇所は、ズーミングに際して間隔が変化することを表わしている。
【００６６】
また、焦点距離、Ｆナンバー、画角（全系の半画角）、像高（半画角を決定する最大像高）、レンズ全長（第１レンズ面から像面までの光軸上の長さ）、ＢＦ（最終レンズ面から像面までの長さ）を示している。
【００６７】
また、ズームレンズ群データは、各レンズ群の焦点距離、レンズ構成長（各レンズ群の光軸上の長さ）、前側主点位置、後側主点位置を表している。
【００６８】
非球面の形状は、面頂点を基準として、光軸に垂直な方向に長さＲだけ離れた位置での光軸方向の面位置をＳａｇ（Ｒ）としたとき、
【００６９】
【数１】
2014032358.tif 000003
【００７０】
を満足する形状として表わされる。ただし、Ｋは離心率であり、ｒは近軸曲率半径であり、Ａ４，Ａ６、Ａ８、Ａ１０は非球面係数である。また、「ｅ−ｘ」は「×１０−ｘ」を意味している。
【００７１】
（実施例１）
単位  ｍｍ
面データ
面番号       r        d      nd         vd       有効径
1         83.518    3.76   1.51633    64.1       42.02
2       1655.424    0.39                         40.55
3        113.863    1.75   1.62299    58.2       36.21
4         18.722    6.52                         27.65
5       1142.677    1.30   1.62299    58.2       27.19
6         15.703    0.50                         23.61
7         16.312    4.35   1.84666    23.9       23.76
8         28.464  (可変)                         22.72
9        225.079    1.81   1.48749    70.2       12.43
10        -32.685  (可変)                         12.56
11        -72.013    0.79   1.83481    42.7       13.27
12        532.093  (可変)                         13.47
13         25.686    4.89   1.74400    44.8       14.16
14        -14.103    0.87   1.84666    23.9       14.05
15        -47.551    1.00                         14.09
16(絞り)    ∞     (可変)                         13.74
17        -31.278    2.03   1.84666    23.9       11.40
18        -12.579    0.82   1.80100    35.0       11.61
19        138.052  (可変)                         12.18
20       -522.742    1.16   1.52996    55.8       16.39
21*       -81.470    0.21                         16.79
22       -121.153    2.87   1.48749    70.2       16.91
23        -20.978  (可変)                         17.49
24          ∞         BF                         20.11
像面        ∞
非球面データ
第21面
K = 0.00000e+000  A4= 2.91907e-005  A6= 9.31471e-009  A8= 1.99743e-010  A10=-9.44250e-013
各種データ
ズーム比      2.90
広角     中間     望遠
焦点距離      18.63    34.02    53.93
Fナンバー      3.56     4.46     5.87
画角          36.26    21.88    14.21
像高          13.66    13.66    13.66
レンズ全長   123.91   117.56   127.08
BF            37.51    37.51    37.51
d 8           29.90    10.06     2.58
d10            7.22     7.19     7.48
d12            1.26     1.30     1.00
d16            2.09     6.56    10.86
d19           10.08     5.61     1.31
d23            0.83    14.32    31.33
入射瞳位置    26.29    23.50    21.90
射出瞳位置   -28.35   -39.23   -52.36
前側主点位置  39.65    42.44    43.46
後側主点位置  18.88     3.49   -16.42
ズームレンズ群データ
群  始面    焦点距離  レンズ構成長  前側主点位置  後側主点位置
1    1     -25.16        18.56         9.27         -4.23
2    9      58.68         1.81         1.07         -0.15
3   11     -75.93         0.79         0.05         -0.38
4   13      26.01         6.75         0.99         -3.38
5   17     -34.05         2.85         0.17         -1.38
6   20      40.59         4.25         2.78         -0.13
単レンズデータ
レンズ  始面  焦点距離
1       1    170.21
2       3    -36.22
3       5    -25.57
4       7     38.76
5       9     58.68
6      11    -75.93
7      13     12.91
8      14    -23.96
9      17     23.67
10      18    -14.36
11      20    181.94
12      22     51.56
【００７２】
（実施例２）
単位  ｍｍ
面データ
面番号       r        d      nd         vd       有効径
1         36.710    2.00   1.62299    58.2       37.44
2         22.404    4.22                         31.97
3         48.990    1.75   1.62299    58.2       31.76
4         24.824    4.34                         28.18
5        182.976    1.30   1.62299    58.2       27.78
6         16.902    0.34                         24.47
7         17.228    4.12   1.84666    23.9       24.56
8         28.125  (可変)                         23.50
9        150.156    1.84   1.48749    70.2       12.54
10        -36.084  (可変)                         12.67
11       -113.939    0.80   1.83481    42.7       13.25
12        152.981  (可変)                         13.42
13         24.265    4.73   1.72916    54.7       14.08
14        -13.753    0.85   1.80610    33.3       13.97
15        -54.738    1.00                         13.95
16(絞り)    ∞     (可変)                         13.62
17        -30.981    1.83   1.80100    35.0       11.68
18        -15.560    0.85   1.70000    48.1       11.70
19         83.083  (可変)                         12.06
20       -221.315    1.00   1.52996    55.8       16.49
21*      -120.782    0.20                         16.92
22      12162.632    3.11   1.48749    70.2       17.15
23        -22.609  (可変)                         17.72
24          ∞         BF                         20.02
像面        ∞
非球面データ
第21面
K = 0.00000e+000  A4= 2.80775e-005  A6=-1.44904e-008  A8= 1.06224e-009  A10=-7.72128e-012
各種データ
ズーム比      2.92
広角     中間     望遠
焦点距離      18.50    36.00    54.00
Fナンバー      3.56     4.50     5.87
画角          36.44    20.78    14.20
像高          13.66    13.66    13.66
レンズ全長   124.00   116.86   125.69
BF            37.50    37.50    37.50
d 8           31.42     8.89     2.61
d10            7.54     6.83     7.54
d12            1.00     1.71     1.00
d16            1.76     6.67    10.62
d19           10.43     5.51     1.56
d23            0.05    15.44    30.55
入射瞳位置    26.65    23.39    22.02
射出瞳位置   -26.90   -39.71   -51.54
前側主点位置  39.84    42.61    43.27
後側主点位置  19.00     1.50   -16.50
ズームレンズ群データ
群  始面    焦点距離  レンズ構成長  前側主点位置  後側主点位置
1    1     -25.57        18.08         9.28         -4.19
2    9      59.87         1.84         1.00         -0.24
3   11     -78.12         0.80         0.19         -0.25
4   13      26.14         6.58         0.84         -3.46
5   17     -35.82         2.68         0.22         -1.29
6   20      42.49         4.31         2.82         -0.13
単レンズデータ
レンズ  始面  焦点距離
1       1    -97.51
2       3    -83.08
3       5    -29.98
4       7     44.75
5       9     59.87
6      11    -78.12
7      13     12.71
8      14    -23.00
9      17     37.07
10      18    -18.66
11      20    499.99
12      22     46.30
【００７３】
（実施例３）
単位  ｍｍ
面データ
面番号       r        d      nd         vd       有効径
1         76.201    4.00   1.51633    64.1       40.50
2          ∞       0.20                         39.00
3         87.093    1.60   1.62041    60.3       34.32
4         17.794    6.69                         26.42
5       -275.114    1.20   1.69680    55.5       25.93
6         17.652    0.85                         23.11
7         18.819    3.98   1.84666    23.9       23.33
8         40.701  (可変)                         22.55
9        514.990    1.75   1.48749    70.2       13.00
10        -39.993  (可変)                         13.00
11        -23.240    0.80   1.62041    60.3       13.07
12       -188.681  (可変)                         13.63
13         38.777    3.25   1.69680    55.5       14.72
14        -29.086    0.20                         14.93
15         35.964    4.28   1.48749    70.2       14.67
16        -18.478    1.00   1.84666    23.9       14.20
17        -50.317    1.00                         14.17
18(絞り)    ∞     (可変)                         13.76
19        -33.107    2.40   1.84666    23.9       10.97
20        -11.931    1.20   1.80100    35.0       10.94
21         59.634  (可変)                         11.45
22        180.914    1.70   1.52996    55.8       16.94
23*      -255.105    0.20                         17.54
24          ∞       3.54   1.48749    70.2       17.68
25        -22.981  (可変)                         18.39
26          ∞         BF                         19.99
像面        ∞
非球面データ
第23面
K = 0.00000e+000  A4= 2.36323e-005  A6= 7.10067e-008  A8=-1.09684e-009  A10= 6.27088e-012
各種データ
ズーム比      2.92
広角     中間     望遠
焦点距離      18.50    34.52    54.00
Fナンバー      3.54     4.50     5.87
画角          36.44    21.59    14.20
像高          13.66    13.66    13.66
レンズ全長   123.08   117.11   125.50
BF            35.50    35.50    35.50
d 8           29.35     9.51     2.00
d10            3.87     4.73     4.96
d12            2.29     1.43     1.20
d18            3.42     7.23    10.77
d21            8.75     4.94     1.41
d25            0.05    13.92    29.82
入射瞳位置    25.70    22.82    21.13
射出瞳位置   -30.12   -40.45   -52.24
前側主点位置  38.98    41.65    41.90
後側主点位置  17.00     0.98   -18.50
ズームレンズ群データ
群  始面    焦点距離  レンズ構成長  前側主点位置  後側主点位置
1    1     -25.60        18.52         8.63         -5.23
2    9      76.20         1.75         1.09         -0.08
3   11     -42.80         0.80        -0.07         -0.56
4   13      19.37         9.73         1.38         -5.25
5   19     -28.02         3.60         0.60         -1.33
6   22      38.65         5.44         3.11         -0.62
単レンズデータ
レンズ  始面  焦点距離
1       1    147.58
2       3    -36.37
3       5    -23.77
4       7     38.16
5       9     76.20
6      11    -42.80
7      13     24.33
8      15     25.70
9      16    -34.99
10      19     20.94
11      20    -12.32
12      22    200.00
13      24     47.14
【００７４】
（実施例４）
単位  ｍｍ
面データ
面番号       r        d      nd         vd       有効径
1         70.840    4.00   1.51633    64.1       42.00
2          ∞       0.20                         41.00
3         93.231    1.60   1.62041    60.3       35.98
4         18.408    7.26                         27.52
5       -162.697    1.20   1.69680    55.5       27.00
6         18.567    0.96                         24.13
7         20.143    4.04   1.84666    23.9       24.37
8         45.497  (可変)                         23.66
9        532.188    1.75   1.48749    70.2       13.00
10        -40.137  (可変)                         13.00
11        -26.949    0.65   1.83400    37.2       13.62
12         77.236    1.84   1.84666    23.9       14.20
13        -86.242  (可変)                         14.58
14         38.407    3.53   1.69680    55.5       15.68
15        -29.312    0.20                         15.80
16         39.552    4.27   1.48749    70.2       15.24
17        -19.247    1.00   1.84666    23.9       14.62
18        -76.735    2.10                         14.51
19(絞り)    ∞     (可変)                         13.88
20        -29.086    2.57   1.84666    23.9       11.11
21        -11.320    1.20   1.80100    35.0       11.25
22        106.692  (可変)                         11.93
23        714.406    1.70   1.52996    55.8       17.50
24*      -240.625    0.20                         18.17
25          ∞       3.75   1.48749    70.2       18.31
26        -22.369  (可変)                         19.03
27          ∞         BF                         20.35
像面        ∞
非球面データ
第24面
K = 0.00000e+000  A4= 2.31905e-005  A6= 6.17475e-008  A8=-8.84794e-010  A10= 4.54132e-012
各種データ
ズーム比      2.92
広角     中間     望遠
焦点距離      18.50    36.00    54.00
Fナンバー      3.53     4.50     5.87
画角          36.44    20.78    14.20
像高          13.66    13.66    13.66
レンズ全長   131.53   124.02   132.30
BF            35.50    35.50    35.50
d 8           31.73     9.19     2.00
d10            4.36     5.46     5.67
d13            2.52     1.41     1.20
d19            3.54     8.54    12.04
d22            9.81     4.81     1.31
d26            0.05    15.08    30.55
入射瞳位置    26.93    24.10    22.70
射出瞳位置   -34.13   -44.30   -55.47
前側主点位置  40.52    43.86    44.65
後側主点位置  17.00    -0.50   -18.50
ズームレンズ群データ
群  始面    焦点距離  レンズ構成長  前側主点位置  後側主点位置
1    1     -26.04        19.27         8.97         -5.62
2    9      76.64         1.75         1.10         -0.08
3   11     -48.65         2.49        -0.65         -2.03
4   14      21.54        11.10         0.99         -6.80
5   20     -30.44         3.77         0.30         -1.74
6   23      40.75         5.65         3.50         -0.36
単レンズデータ
レンズ  始面  焦点距離
1       1    137.20
2       3    -37.28
3       5    -23.85
4       7     39.78
5       9     76.64
6      11    -23.89
7      12     48.38
8      14     24.38
9      16     27.21
10      17    -30.59
11      20     20.53
12      21    -12.72
13      23    339.85
14      25     45.89
【００７５】
（実施例５）
単位  ｍｍ
面データ
面番号       r        d      nd         vd       有効径
1         81.435    4.00   1.51633    64.1       41.99
2          ∞       0.20                         40.52
3         71.919    1.60   1.62041    60.3       34.88
4         17.644    7.33                         26.85
5       -143.178    1.20   1.69680    55.5       26.33
6         19.270    1.13                         23.69
7         21.264    3.83   1.84666    23.9       23.91
8         48.794  (可変)                         23.22
9       -689.063    1.75   1.48749    70.2       13.00
10        -36.266  (可変)                         13.00
11        -28.066    0.69   1.83400    37.2       13.50
12         52.493    1.98   1.84666    23.9       14.18
13       -110.834  (可変)                         14.60
14         37.639    3.59   1.69680    55.5       15.77
15        -28.707  (可変)                         15.94
16         35.581    4.52   1.48749    70.2       15.23
17        -18.320    1.00   1.84666    23.9       14.60
18        -88.297    1.00                         14.48
19(絞り)    ∞     (可変)                         14.16
20        -37.873    2.73   1.84666    23.9       11.64
21        -12.040    1.20   1.80100    35.0       11.53
22         96.455  (可変)                         12.04
23        243.913    1.70   1.52996    55.8       17.20
24*       197.384    0.56                         17.84
25          ∞       3.65   1.48749    70.2       17.98
26        -23.117  (可変)                         18.71
27          ∞         BF                         20.36
像面        ∞
非球面データ
第24面
K = 0.00000e+000  A4= 2.30763e-005  A6= 5.59354e-008  A8=-9.41156e-010  A10= 5.14205e-012
各種データ
ズーム比      2.92
広角     中間     望遠
焦点距離      18.50    35.00    53.98
Fナンバー      3.58     4.49     5.87
画角          36.44    21.32    14.20
像高          13.66    13.66    13.66
レンズ全長   133.99   125.41   134.99
BF            35.49    35.49    35.49
d 8           31.51     8.67     2.00
d10            5.00     4.98     5.37
d13            2.63     2.26     1.20
d15            0.20     0.59     1.26
d19            3.37     8.17    12.52
d22           10.39     5.58     1.23
d26            0.05    14.30    30.55
入射瞳位置    28.11    25.16    24.00
射出瞳位置   -32.97   -43.79   -55.79
前側主点位置  41.61    44.71    46.06
後側主点位置  16.99     0.49   -18.49
ズームレンズ群データ
群  始面    焦点距離  レンズ構成長  前側主点位置  後側主点位置
1    1     -25.65        19.29        10.38         -6.05
2    9      78.46         1.75         1.24          0.07
3   11     -46.50         2.67        -0.52         -1.99
4   14      23.90         3.59         1.23         -0.94
5   16     242.23         6.52        -6.04        -10.42
6   20     -36.88         3.93         0.45         -1.67
7   23      48.63         5.91         4.10         -0.04
単レンズデータ
レンズ  始面  焦点距離
1       1    157.72
2       3    -38.11
3       5    -24.30
4       7     41.85
5       9     78.46
6      11    -21.84
7      12     42.31
8      14     23.90
9      16     25.51
10      17    -27.48
11      20     19.89
12      21    -13.30
13      23   -1977.47
14      25     47.42
【００７６】
（実施例６）
単位  ｍｍ
面データ
面番号       r        d      nd         vd       有効径
1         85.023    4.00   1.51633    64.1       43.00
2          ∞       0.20                         41.54
3         73.084    1.60   1.62041    60.3       35.72
4         17.600    7.80                         27.32
5       -116.895    1.20   1.69680    55.5       26.81
6         18.780    0.47                         24.19
7         19.698    4.48   1.84666    23.9       24.31
8         52.147  (可変)                         23.57
9        412.563    1.90   1.60311    60.6       13.00
10        -32.853    0.60   1.69895    30.1       13.00
11        -48.354  (可変)                         13.00
12        -30.623    0.70   1.62041    60.3       13.56
13       -483.146  (可変)                         13.92
14         35.026    3.20   1.75700    47.8       14.87
15        -32.812    0.81                         14.97
16         40.649    3.76   1.48749    70.2       14.41
17        -20.343    0.70   1.84666    23.8       13.87
18       -201.076    1.00                         13.73
19(絞り)    ∞     (可変)                         13.50
20        -34.419    0.70   1.80440    39.6       11.20
21         18.894    2.19   1.84666    23.8       11.74
22         77.354  (可変)                         12.10
23        302.697    1.70   1.52996    55.8       18.15
24*      -162.787    0.20                         18.79
25        187.560    4.54   1.51633    64.1       19.17
26        -21.357  (可変)                         19.93
27        -25.370    1.00   1.54072    47.2       20.03
28        -30.489  (可変)                         20.50
29          ∞         BF                         20.84
像面        ∞
非球面データ
第24面
K = 0.00000e+000  A4= 2.22087e-005  A6= 6.78887e-008  A8=-7.97861e-010  A10= 3.73134e-012
各種データ
ズーム比      2.92
広角     中間     望遠
焦点距離      18.50    35.00    54.00
Fナンバー      3.45     4.50     5.87
画角          36.44    21.32    14.20
像高          13.66    13.66    13.66
レンズ全長   131.53   125.83   134.00
BF            35.50    35.50    35.50
d 8           30.03     9.66     2.00
d11            4.68     6.04     5.99
d13            2.51     1.16     1.20
d19            3.37     8.50    12.42
d22           10.45     5.32     1.40
d26            0.50     1.32     5.69
d28            0.05    13.90    25.36
入射瞳位置    28.45    25.71    24.10
射出瞳位置   -40.83   -48.97   -58.17
前側主点位置  42.46    46.21    46.97
後側主点位置  17.00     0.50   -18.50
ズームレンズ群データ
群  始面    焦点距離  レンズ構成長  前側主点位置  後側主点位置
1    1     -26.25        19.75        10.71         -5.71
2    9      77.00         2.50         1.45         -0.09
3   12     -52.73         0.70        -0.03         -0.46
4   14      22.61         9.46         0.19         -6.17
5   20     -30.83         2.89         0.50         -1.05
6   23      31.96         6.44         3.54         -0.84
7   27    -300.00         1.00        -3.45         -4.15
単レンズデータ
レンズ  始面  焦点距離
1       1    164.67
2       3    -37.78
3       5    -23.14
4       7     35.17
5       9     50.54
6      10   -148.99
7      12    -52.73
8      14     22.84
9      16     28.39
10      17    -26.78
11      20    -15.08
12      21     29.03
13      23    200.00
14      25     37.41
15      27   -300.00
【００７７】
【表１】
2014032358.tif 000004
【００７８】
次に、本発明のズームレンズを撮影光学系として用いたデジタルカメラ（撮像装置）の実施例を説明する。図１３において、１０は一眼レフカメラ本体、１１は本発明によるズームレンズを搭載した交換レンズである。１２は交換レンズ１１を通して得られる被写体像を記録する銀塩フィルムや被写体像を受光する固体撮像素子（光電変換素子）などの感光面である。１３は交換レンズ１１からの被写体像を観察するファインダー光学系、１４は交換レンズ１１からの被写体像を感光面１２とファインダー光学系１３に切り替えて伝送するための回動するクイックリターンミラーである。
【００７９】
ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は感光面記録手段１２に形成される結像して記録される。
【００８０】
このように本発明のズームレンズを一眼レフカメラ等の撮像装置に適用することにより、高い光学性能を有した光学機器を実現することができる。なお、本発明はクイックリターンミラーのないＳＬＲ（ＳｉｎｇｌｅＬｅｎｓＲｅｆｌｅｘ）カメラにも同様に適用することができる。尚、本発明のズームレンズはビデオカメラにも同様に適用することができる。
【００８１】
以上、本発明の好ましい実施形態について説明したが、本発明はこれらの実施形態に限定されず、その要旨の範囲内で種々の変形及び変更が可能である。
【符号の説明】
【００８２】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
Ｌ７  第７レンズ群
Ｌｒ  後群
ＳＰ  絞り
ＦＳ  フレアーカット絞り
ＩＰ  像面
ｄ  ｄ線
ｇ  ｇ線
Ｓ．Ｃ．  正弦条件
Ｍ  ｄ線のメリディオナル像面
Ｓ  ｄ線のサジタル像面
【図１】
2014032358.tif 000005
【図２】
2014032358.tif 000006
【図３】
2014032358.tif 000007
【図４】
2014032358.tif 000008
【図５】
2014032358.tif 000009
【図６】
2014032358.tif 000010
【図７】
2014032358.tif 000011
【図８】
2014032358.tif 000012
【図９】
2014032358.tif 000013
【図１０】
2014032358.tif 000014
【図１１】
2014032358.tif 000015
【図１２】
2014032358.tif 000016
【図１３】
2014032358.tif 000017